(57)【要約】【課題】３次元画像の解析結果を表示させる際、表示対象の臓器などを限定するとともに、疾患の見逃しを防止する。【解決手段】被検者の複数の検査項目の検査データを取得する診療情報取得部１１と、診療情報取得部１１によって取得された複数の検査項目の検査データに基づいて異常値を有する検査データの検査項目を抽出し、その抽出した検査項目に基づいて注目対象を特定する注目対象特定部１３と、注目対象特定部１３によって特定された注目対象の３次元画像を取得し、その３次元画像の解析を行う３次元画像解析部１５と、３次元画像解析部における解析結果を表示させる表示制御部１６とを備える。【選択図】図１
2015011446.tif 000002
【特許請求の範囲】
【請求項１】
被検者の複数の検査項目の検査データを取得する検査データ取得部と、
該検査データ取得部によって取得された複数の検査項目の検査データに基づいて異常値を有する検査データの検査項目を抽出し、該抽出した検査項目に基づいて注目対象を特定する注目対象特定部と、
該注目対象特定部によって特定された注目対象の３次元画像を取得し、該３次元画像の解析を行う３次元画像解析部と、
該３次元画像解析部における解析結果を表示させる表示制御部とを備えたことを特徴とする３次元画像解析表示制御装置。
【請求項２】
前記注目対象特定部において複数の前記注目対象が特定された場合に、該複数の注目対象に対して優先順位を設定する優先順位設定部を備え、
前記表示制御部が、前記優先順位が高い前記注目対象の３次元画像の解析結果から順に表示させるものであることを特徴とする請求項１記載の３次元画像解析表示制御装置。
【請求項３】
前記優先順位設定部が、前記抽出した検査項目の重篤度を評価し、該評価した重篤度に基づいて優先順位を設定するものであることを特徴とする請求項２記載の３次元画像解析表示制御装置。
【請求項４】
前記３次元画像解析部が、前記解析結果が表示される表示欄の表示上限数に基づいて、前記優先順位が高い注目対象の３次元画像から順に３次元画像解析を行うものであることを特徴とする請求項２または３記載の３次元画像解析表示制御装置。
【請求項５】
前記３次元画像解析部が、前記検査データを取得する際に撮影された３次元画像よりも過去に撮影された前記注目対象の３次元画像を取得し、該３次元画像の解析を行うものであることを特徴とする請求項１から４いずれか１項記載の３次元画像解析表示制御装置。
【請求項６】
前記表示制御部が、複数の臓器または骨部を含む画像を表示させるものであり、かつ該画像内に含まれる臓器または骨部のうち、過去に前記３次元画像解析を行っていないものに対して指標を付与して表示させるものであることを特徴とする請求項１から５いずれか１項記載の３次元画像解析表示制御装置。
【請求項７】
前記表示制御部が、前記注目対象特定部によって少なくとも１つの前記注目対象が特定された場合に、該旨を示すメッセージを表示させるものであることを特徴とする請求項１から６いずれか１項記載の３次元画像解析表示制御装置。
【請求項８】
前記表示制御部が、前記メッセージが表示された後、前記注目対象の前記解析結果の表示の指示が受け付けられた際に、前記注目対象の前記解析結果を表示するものであることを特徴とする請求項１から７いずれか１項記載の３次元画像解析表示制御装置。
【請求項９】
前記注目対象特定部が、前記異常値を有する検査データの検査項目と前記注目対象とを対応付けたテーブルを備えたものであることを特徴とする請求項１から８いずれか１項記載の３次元画像解析表示制御装置。
【請求項１０】
被検者の複数の検査項目の検査データを取得し、
該取得した複数の検査項目の検査データに基づいて異常値を有する検査データの検査項目を抽出し、該抽出した検査項目に基づいて注目対象を特定し、
該特定した注目対象の３次元画像を取得し、該３次元画像の解析を行い、
該３次元画像の解析結果を表示させることを特徴とする３次元画像解析表示制御方法。
【請求項１１】
コンピュータを、
被検者の複数の検査項目の検査データを取得する検査データ取得部と、
該検査データ取得部によって取得された複数の検査項目の検査データに基づいて異常値を有する検査データの検査項目を抽出し、該抽出した検査項目に基づいて注目対象を特定する注目対象特定部と、
該注目対象特定部によって特定された注目対象の３次元画像を取得し、該３次元画像の解析を行う３次元画像解析部と、
該３次元画像解析部における解析結果を表示させる表示制御部として機能させることを特徴とする３次元画像解析表示制御プログラム。
【発明の詳細な説明】
【技術分野】
【０００１】
本発明は、３次元画像の解析結果を表示させる３次元画像解析表示制御装置および方法並びにプログラムに関するものである。
【背景技術】
【０００２】
近年、ＣＴ（Computed Tomography）装置やＭＲＩ装置（Magnetic Resonance Imaging）装置などのモダリティによって撮影された３次元画像に対して３次元画像解析を行い、心臓、大腸、気管支および血管などを抽出し、その抽出した臓器などを３次元画像解析結果として表示して画像診断に用いることが行われている。
【０００３】
ここで、上述した３次元画像を解析して３次元画像解析結果を取得する際には、３次元画像の含まれる全ての臓器や骨部などについて３次元画像解析を行うことが望ましい。
【０００４】
しかしながら、３次元画像解析結果をモニタに表示する際、撮影された３次元画像に含まれる全ての臓器や骨部などを抽出して表示するようにしたのでは、モニタの表示画面内に収めることができない。また、全ての臓器などの３次元画像解析を行うようにしたのでは膨大な解析時間を要するとともに、医師によって観察すべき３次元画像解析結果の量も膨大になるため医師に対して過度に負担をかけることになる。
【０００５】
そこで、特許文献１に記載されているように、たとえば医師の識別情報に基づいて表示対象の３次元解析結果の内容を限定したり、今回の診断の対象である臓器などに限定して表示させることが考えられる。
【先行技術文献】
【特許文献】
【０００６】
【特許文献１】特開２０１０−２６４２３４号公報
【特許文献２】特開２０１３−０１３７４４号公報
【特許文献３】特開２００７−２７５３１２号公報
【特許文献４】特開２００９−８２４５２号公報
【発明の概要】
【発明が解決しようとする課題】
【０００７】
しかしながら、上述したように今回の診断対象の臓器に限定して３次元画像解析結果を表示させるようにしたのでは、たとえば今回の診断対象が肺である場合、肺のみの３次元画像解析結果を表示させることになるが、肺だけではなく心臓も同時に罹患している場合があり、その心臓の疾患を見逃してしまうおそれがある。
【０００８】
特許文献２には、入力された診断情報に基づいて３次元画像に対して施されるボリュームレンダリングのパラメータを設定することが開示されているが、上述したような疾患の見逃しを防止するような３次元画像解析結果の表示方法については何も開示されていない。
【０００９】
また、特許文献３および特許文献４には、３次元画像に付帯された検査部位や検査目的などに基づいて３次元画像の解析プロトコルを自動的に決定し、その解析プロトコルに基づいて３次元画像解析を行うことが開示されているが、これらの文献にも疾患の見逃しを防止するような３次元画像解析結果の表示方法については何も開示されていない。
【００１０】
本発明は、上記事情に鑑み、３次元画像の解析結果を表示させる際、表示対象の臓器などを限定することができるとともに、疾患の見逃しを防止することができる３次元画像解析表示制御装置および方法並びにプログラムを提供することを目的とするものである。
【課題を解決するための手段】
【００１１】
本発明の３次元画像解析表示制御装置は、被検者の複数の検査項目の検査データを取得する検査データ取得部と、検査データ取得部によって取得された複数の検査項目の検査データに基づいて異常値を有する検査データの検査項目を抽出し、その抽出した検査項目に基づいて注目対象を特定する注目対象特定部と、注目対象特定部によって特定された注目対象の３次元画像を取得し、その３次元画像の解析を行う３次元画像解析部と、３次元画像解析部における解析結果を表示させる表示制御部とを備えたことを特徴とする。
【００１２】
また、上記本発明の３次元画像解析表示制御装置においては、注目対象特定部において複数の注目対象が特定された場合に、その複数の注目対象に対して優先順位を設定する優先順位設定部を設け、表示制御部を、優先順位が高い注目対象の３次元画像の解析結果から順に表示させるものとできる。
【００１３】
また、優先順位設定部を、上記抽出した検査項目の重篤度を評価し、その評価した重篤度に基づいて優先順位を設定するものとできる。
【００１４】
また、３次元画像解析部を、上記解析結果が表示される表示欄の表示上限数に基づいて、優先順位が高い注目対象の３次元画像から順に３次元画像解析を行うものとできる。
【００１５】
また、３次元画像解析部を、検査データを取得する際に撮影された３次元画像よりも過去に撮影された注目対象の３次元画像を取得し、その３次元画像の解析を行うものとできる。
【００１６】
また、表示制御部を、複数の臓器または骨部を含む画像を表示させるものとし、かつその画像内に含まれる臓器または骨部のうち、過去に３次元画像解析を行っていないものに対して指標を付与して表示させるものとできる。
【００１７】
また、表示制御部を、注目対象特定部によって少なくとも１つの注目対象が特定された場合に、その旨を示すメッセージを表示させるものとできる。
【００１８】
また、表示制御部を、上記メッセージが表示された後、注目対象の解析結果の表示の指示が受け付けられた際に、注目対象の解析結果を表示するものとできる。
【００１９】
また、注目対象特定部を、異常値を有する検査データの検査項目と注目対象とを対応付けたテーブルを備えたものとできる。
【００２０】
本発明の３次元画像解析表示制御方法は、被検者の複数の検査項目の検査データを取得し、その取得した複数の検査項目の検査データに基づいて異常値を有する検査データの検査項目を抽出し、その抽出した検査項目に基づいて注目対象を特定し、その特定した注目対象の３次元画像を取得し、その３次元画像の解析を行い、その３次元画像の解析結果を表示させることを特徴とする。
【００２１】
本発明の３次元画像解析表示制御プログラムは、コンピュータを、被検者の複数の検査項目の検査データを取得する検査データ取得部と、検査データ取得部によって取得された複数の検査項目の検査データに基づいて異常値を有する検査データの検査項目を抽出し、その抽出した検査項目に基づいて注目対象を特定する注目対象特定部と、注目対象特定部によって特定された注目対象の３次元画像を取得し、その３次元画像の解析を行う３次元画像解析部と、３次元画像解析部における解析結果を表示させる表示制御部として機能させることを特徴とする。
【発明の効果】
【００２２】
本発明の３次元画像解析表示制御装置および方法並びにプログラムによれば、被検者の複数の検査項目の検査データを取得し、その取得した複数の検査項目の検査データに基づいて異常値を有する検査データの検査項目を抽出し、その抽出した検査項目に基づいて注目対象を特定し、その特定した注目対象の３次元画像の解析を行ってその解析結果を表示させるようにしたので、３次元画像解析の対象を注目対象の臓器などに限定することができるとともに、検査データに基づいて注目対象を特定しているので疾患の見逃しを防止することができる。
【図面の簡単な説明】
【００２３】
【図１】本発明の３次元画像解析表示制御装置の一実施形態を用いた診療情報表示システムの概略構成を示すブロック図
【図２】異常検査項目と注目対象とを対応づけたテーブルの一例を示す図
【図３】３次元画像解析の処理対象と３次元画像解析の内容とを対応づけたテーブルの一例を示す図
【図４】目的対象が肺の場合における３次元画像解析結果の表示例を示す図
【図５】本発明の３次元画像解析表示制御装置の一実施形態を用いた診療情報表示システムの作用を説明するためのフローチャート
【図６】注目対象として心臓が特定された場合における３次元画像解析結果の表示例を示す図
【図７】複数の注目対象が特定された場合の３次元画像解析結果の表示例を示す図
【図８】複数の注目対象が特定された場合の３次元画像解析結果の表示例を示す図
【発明を実施するための形態】
【００２４】
以下、本発明の３次元画像解析表示制御装置および方法並びにプログラムの一実施形態を用いた診療情報表示システムについて、図面を参照しながら詳細に説明する。図１は、本実施形態の診療情報表示システム１の概略構成を示すブロック図である。
【００２５】
本実施形態の診療情報表示システム１は、図１に示すように、診療情報表示制御装置１０と、診療科端末２０と、電子カルテシステム３０と、検査部門システム４０と、画像診断システム５０とを備えている。
【００２６】
まず、診療情報表示制御装置１０について説明する。なお、診療情報表示制御装置１０は、本発明の３次元画像解析表示制御装置の一実施形態を含むものである。
【００２７】
診療情報表示制御装置１０は、診療科端末２０において入力された患者の識別情報を受け付け、その患者に関する診療情報を電子カルテシステム３０、検査部門システム４０および画像診断システム５０からそれぞれ収集し、その収集した情報を統合した診療情報表示画面を生成して診療科端末２０に表示させるものである。
【００２８】
具体的には、診療情報表示制御装置１０は、図１に示すように、診療情報取得部１１（検査データ取得部を相当する）と、診療情報記憶部１２と、注目対象特定部１３と、優先順位設定部１４と、３次元画像解析部１５と、表示制御部１６とを備えている。
【００２９】
診療情報表示制御装置１０は、コンピュータに本発明の３次元画像解析表示制御プログラムの一実施形態を含む診療情報表示制御プログラムをインストールしたものである。そして、中央処理装置（ＣＰＵ）によって上記診療情報表示制御プログラムが実行されることによって上述した診療情報取得部１１と、注目対象特定部１３と、優先順位設定部１４と、３次元画像解析部１５と、表示制御部１６とが機能する。上記診療情報表示制御プログラムは、ＣＤ−ＲＯＭなどの記録媒体に記録されたものでもよいし、インターネットを経由してサーバなどからダウンロードしたものでもよい。
【００３０】
診療情報取得部１１は、診療科端末２０において入力された患者の識別情報に基づいて、その患者の識別情報に紐付けされた診療情報を各サーバから取得するものである。診療情報としては、その患者の名前や年齢や性別などといった基本情報、投薬や点滴の情報、検体検査やバイタルなどの種々の検査データ、および３次元画像などの画像診療情報などがある。
【００３１】
診療情報取得部１１は、患者の識別情報に基づいて各サーバから収集した診療情報を一旦、診療情報記憶部１２に記憶する。診療情報記憶部１２は、ハードディスクなどのストレージデバイスから構成されるものである。
【００３２】
そして、診療情報記憶部１２に記憶された診療情報は、必要に応じて診療情報取得部１１によって読み出されて表示制御部１６に出力され、表示制御部１６によって診療科端末２０のモニタ上に表示されるが、本実施形態においては、診療情報のうちの３次元画像の解析情報を表示する際、今回の診断対象の臓器や骨部の３次元画像の解析結果のみならず、その他の臓器や骨部などの３次元画像の解析結果も表示するものである。そして、目的対象以外の臓器や骨部の３次元画像の解析結果を表示する際、全ての３次元画像の解析結果を同時に表示するのではなく、特に重要な３次元画像の解析情報を特定し、その特定した３次元画像の解析情報から優先的に表示する。
【００３３】
具体的には、診療情報取得部１１によって取得された複数の検査項目の検査データに基づいて、異常値を有する検査データの検査項目を自動的に抽出し、その抽出した検査項目に基づいて罹患していると推定される臓器または骨部を注目対象として自動的に特定し、その注目対象の３次元画像の解析情報を優先的に表示する。なお、３次元画像の解析結果の表示方法については、後で詳述する。
【００３４】
診療情報取得部１１によって取得される検査データの検査項目としては、たとえば、心臓に関連する検査項目として、心臓カテーテル検査、血圧、血液中の酸素濃度、心臓が送り出す循環血液量の検査、電気生理学的検査、造影剤を用いた心臓の壁運動および血管の形態を知る造影検査、ＢＮＰ（脳性ナトリウム利尿ペプチド）測定、問診検査、心電図検査、放射線画像診断検査、超音波診断検査などがある。
【００３５】
また、肝臓に関連する検査項目としては、ＡＦＰやＰＩＶＫＡ-ＩＩなどといった肝臓癌の腫瘍マーカーの検査などがある。
【００３６】
また、大腸に関連する検査項目としては、ＣＥＡ、ｐ５３抗体、ＳＴＮ、ＮＣＣ-ＳＴ-４３９などの腫瘍マーカーの検査や、便秘、下痢、腹痛または血便などの問診検査などがある。
【００３７】
また、肺に関連する検査項目としては、呼吸数・肺機能などの肺機能検査がある。また、その他にもいつくかの臓器に共通して関連する検査項目として、尿・便検査、血液検査、各種画像診断検査などがある。血液検査には、肝臓・胆のう・脾臓検査、腎機能検査、筋肉関連酵素検査、脂質代謝検査、尿酸代謝検査、電解質検査、血球算定検査、炎症反応検査、血糖検査、甲状腺機能検査、がん検査（腫瘍マーカ）などがある。また、尿・便検査には、尿蛋白、尿潜血反応、尿糖、尿沈渣、尿比重、尿ウロビリノーゲン、便潜血反応などがある。
【００３８】
なお、これらの検査項目の検査データは、必ずしも測定データでなくてもよく、異常の有無を示すデータや画像に表れた陰影の悪性度をあらわす指標値など、検査に基づいて医師などによって入力されるデータでもよい。
【００３９】
３次元画像としては、たとえばＣＴ装置やＭＲＩ装置によって撮影されたスライスデータから構成されるボリュームデータや、超音波撮影装置によって撮影された断層画像から構成されるボリュームデータなどがある。
【００４０】
注目対象特定部１３は、上述したような複数の検査項目の検査データを取得し、異常値を有する検査データの検査項目を自動的に抽出し、その抽出した検査項目に基づいて、罹患していると推定される臓器または骨部を自動的に特定するものである。
【００４１】
異常値を有する検査項目の抽出については、たとえば注目対象特定部１３に、検査データの異常値範囲を予め設定しておき、その設定された異常値範囲内の検査データを有する検査項目を抽出する。また、検査データが測定データではなく、異常の有無を示すデータである場合には、異常有りのデータを有する検査項目を抽出し、また、上述した画像内の陰影の悪性度の指標値を有する検査項目などを抽出する。
【００４２】
そして、注目対象特定部１３には、図２に示すような異常値を有する検査項目と、罹患していると推定される臓器または骨部とを対応付けたテーブルが予め設定されており、注目対象特定部１３は、上述したようにして抽出した異常値を有する検査項目に基づいて、図２に示すテーブルを参照することによって注目対象を特定する。
【００４３】
異常値を有する検査項目と注目対象との対応付けについては、図２に示すように、異常検査項目と臓器または骨部とを一対一で対応づけるようにしてもよいし、複数の異常検査項目と１つの臓器または骨部とを対応づけるようにしてもよい。このように複数の異常検査項目と１つの臓器または骨部とを対応づける場合には、複数の異常検査項目の全てが抽出された場合にその複数の異常検査項目に対応する臓器または骨部を注目対象として特定するようにしてもよいし、複数の異常検査項目のうちの少なくとも１つが抽出された場合に、その抽出された異常検査項目に対応する臓器または骨部を注目対象として特定するようにしてもよい。
【００４４】
異常検査項目に対応する注目対象の例としては、たとえば、上述した心臓カテーテル検査や循環血液量の検査や造影検査などが異常検査項目である場合には、注目対象として心臓が特定される。また、肝臓癌の腫瘍マーカーの検査が異常検査項目である場合には、注目対象として肝臓が特定される。また、ＣＥＡ、ｐ５３抗体、ＳＴＮ、ＮＣＣ-ＳＴ-４３９などの腫瘍マーカーの検査および便秘、下痢、腹痛または血便などの問診検査が異常検査項目である場合には、注目対象として大腸が特定される。また、肺機能検査や酸素飽和度が異常検査項目である場合には、注目対象として肺が特定される。また、頭部の放射線画像診断の問診結果が骨折であり、異常検査項目として抽出された場合には、注目対象として頭蓋骨が特定される。なお、異常検査項目と注目対象との対応づけは上記のような例に限らず、医学的な見地からその他の種々の対応関係が設定可能である。
【００４５】
また、目的対象や注目対象としては、上述した臓器や骨部に限らず、その他にも頭部の動脈や、頸動脈、脊髄、乳房、胸大動脈、腰椎、腕、脚などがある。
【００４６】
優先順位設定部１４は、注目対象特定部１３において複数の注目対象が特定された場合、その複数の注目対象に対して優先順位を設定するものである。優先順位の設定方法については、たとえば注目対象に対応する異常検査項目の重篤度を評価し、その重篤度が大きい異常検査項目を有する注目対象ほど優先順位が高くなるように優先順位を設定するようにすればよい。
【００４７】
重篤度の評価方法としては、たとえば異常値の検査データの正常値からのずれ値を取得し、そのずれ値が大きいほど重篤度が大きいものとして評価することができる。または、上述した画像診断などに基づく悪性度の指標値が大きいほど重篤度が大きいものとして評価することができる。また、その他、測定データを取得しない問診などの検査についても、それぞれ重篤度を示す指標値が設定されるものとする。重篤度を評価する際、検査項目の重要度に応じて各検査項目の重篤度の評価値に重みづけを設定するようにしてもよい。この際、疾患との関連性が高い検査項目ほど重みづけを大きくするようにすればよい。また、検査項目毎の重篤度の評価値を医学的な見地などに基づいて正規化するようにしてもよい。
【００４８】
３次元画像解析部１５は、今回の診断の目的対象や、注目対象特定部１３において特定された注目対象の３次元画像を診療情報取得部１１から取得し、その目的対象や注目対象の３次元画像の解析を行うものである。
【００４９】
具体的には、各３次元画像には、ＤＩＣＯＭ規格によって規定された付帯情報が付与されており、その付帯情報には３次元画像の撮影部位の情報が含まれている。撮影部位とは、腹部、胸部、頭部など１または複数の臓器や骨部を含むものである。
【００５０】
３次元画像解析部１５は、その３次元画像の付帯情報を参照することによって目的対象や注目対象が含まれる撮影部位の３次元画像を取得する。なお、臓器や骨部とそれを含む部位との対応関係については予め設定されているものとする。
【００５１】
また、３次元画像の部位の判定については、３次元画像を直接解析することによって行うようにしてもよい。３次元画像の解析により部位を判別する方法としては、テンプレートマッチング、特徴量に基づく識別など種々の方法が知られている。
【００５２】
そして、３次元画像解析部１５は、３次元画像に対して目的対象や注目対象の種類に応じた３次元画像解析を行う。３次元画像解析としては、たとえば目的対象や注目対象が心臓である場合には、心臓抽出、冠動脈抽出、ＣＰＲ（Curved Multi Planer Reconstruction）画像作成などがある。また、目的対象や注目対象が肝臓である場合には、肝臓抽出、肝臓内部の血管の支配領域の抽出などがある。また、目的対象や注目対象が大腸である場合には、大腸領域の抽出、大腸の血管の支配領域の抽出、展開画像作成、伸長断面画像生成などがある。展開画像とは、大腸を直線状に伸長させ、さらに大腸を切り開いて内壁側を展開した画像である。また、伸長断面画像とは、大腸を直線状に伸長させ、大腸を縦切りにしたような画像である。また、目的対象や注目対象が腎臓である場合には、腎臓領域抽出、実腎質の分離などがある。
【００５３】
なお、各臓器や骨部に対応する３次元画像解析の内容については、上述した例に限らず、その他、体表抽出、頭蓋骨抽出、胸部骨抽出、肺野抽出、気管支抽出、心臓左心室抽出、腹部骨抽出、腹部脂肪抽出、異常陰影抽出、心機能解析、血管の形状解析、骨の形状解析、骨の運動解析、脂肪分布評価などがある。なお、これらの３次元画像解析は、それぞれ公知な手法によって実現することができる。
【００５４】
３次元画像解析部１５には、図３に示すような処理対象と３次元画像解析の内容とを対応づけたテーブルが予め設定されており、３次元画像解析部１５は、目的対象や注目対象などの処理対象に基づいて図３に示すテーブルを参照して３次元画像解析の内容を決定し、その３次元画像解析を３次元画像に対して施すものである。
【００５５】
表示制御部１６は、診療情報取得部１１から出力された患者の診療情報に基づいて診療情報表示画面を生成し、その診療情報表示画面を診療科端末２０に出力して表示させるものである。
【００５６】
ここで、表示制御部１６において生成される診療情報表示画面について説明する。図２は、診療情報表示画面の一例を示すものである。
【００５７】
診療情報表示画面は、図２に示すように、基本情報表示欄Ｒ１と、検査期間表示欄Ｒ２と、投薬期間表示欄Ｒ３と、検査データ表示欄Ｒ４と、画像診療情報欄Ｒ５と、投薬リスト表示欄Ｒ６と、検査項目リスト表示欄Ｒ７とを備えている。
【００５８】
基本情報表示欄Ｒ１は、患者の識別情報（患者ＩＤ）、名前、年齢、性別、既往歴などといった基本情報が表示される欄である。また、既往歴については、図２に示すように、各疾患に対してチェックボックスが表示される。そして、このチェックボックスがチェックされることによって疾患が指定され、その疾患に関する検査データや画像診療情報などが表示されることになる。
【００５９】
検査期間表示欄Ｒ２は、患者の検査期間などを表示する欄であり、患者が検査を受けた期間が横棒グラフで表示される。投薬期間表示欄Ｒ３は、患者に対する投薬や点滴を行った期間を表示する欄であり、患者が投薬や点滴を受けた期間が横棒グラフで表示される。検査データ表示欄Ｒ４は、時系列に取得された複数の検査項目の検査データが折れ線グラフで表示される欄である。なお、異常値を有する検査項目の検査データについては、その他の検査項目と識別可能なように強調表示するようにしてもよい。
【００６０】
画像診療情報欄Ｒ５は、患者の３次元画像解析結果などの画像診療情報を表示する欄である。画像診療情報欄Ｒ５には、上述したように今回の診断の目的対象の３次元画像の解析結果のみならず、異常値を有する検査項目に対応する注目対象の３次元画像の解析結果も表示するものである。そして、複数の注目対象が特定された場合には、その注目対象の疾患の重篤度が高いものほど優先的に切り替えて表示するものである。なお、目的対象や注目対象の３次元画像解析結果の表示方法については、後で詳述する。
【００６１】
投薬リスト表示欄Ｒ６は、投薬期間表示欄Ｒ３に表示された各投薬期間において投薬や点滴された薬剤の種類がリスト表示される欄である。検査項目リスト表示欄Ｒ７は、検査データ表示欄Ｒ４に表示された検査データの検査項目がリスト表示される欄である。
【００６２】
図１に戻り、診療科端末２０は、図２に示す診療情報表示画面を表示するディスプレイと、患者の識別情報の入力や上述したチェックボックスの指定入力などを受け付けるキーボードおよびマウスなどを備えたものである。
【００６３】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および点滴の薬剤の種類や投薬期間、既往歴などの情報や、医師による問診検査のデータが含まれている。
【００６４】
検査部門システム４０は、複数の患者の検査データを管理するシステムである。検査部門システム４０は、検査データ保管サーバ４１を備えており、この検査データ保管サーバ４１には、複数の患者の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。
【００６５】
画像診断システム５０は、複数の患者の画像診療情報を管理するシステムである。画像診断システム５０は、画像管理サーバ５１と、読影レポートサーバ５２とを備えている。画像管理サーバ５１には、複数の患者の３次元画像などの画像診断情報が患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。この読影レポートには、上述した画像内における異常陰影の悪性度の指標値なども含まれている。
【００６６】
画像診断システム５０は、診療科端末２０において入力された患者の識別情報を取得し、その識別情報に紐付けされた３次元画像やその読影レポートを診療情報表示制御装置１０に出力するものである。
【００６７】
次に、本実施形態の診療情報表示システム１の作用について、図５に示すフローチャートを参照しながら説明する。なお、本実施形態の診療情報表示システム１は、上述した画像診療情報欄Ｒ５における３次元画像解析結果の表示方法に特徴を有するものであるため、以下、その点を中心に説明する。
【００６８】
まず、診療科端末２０において、患者の識別情報が入力され、その患者の識別情報は、診療情報表示制御装置１０の診療情報取得部１１によって取得される（Ｓ１０）。
【００６９】
診療情報取得部１１は、入力された患者の識別情報に基づいて、電子カルテ保管サーバ３１、検査データ保管サーバ４１、画像管理サーバ５１および読影レポートサーバ５２からその患者に関する診療情報を収集し、診療情報記憶部１２にその診療情報を一旦記憶させる（Ｓ１２）。
【００７０】
そして、診療情報取得部１１は、まず、患者の基本情報を診療情報記憶部１２から読み出して表示制御部１６に出力する。表示制御部１６は、まず、基本情報のみが表示された診療情報表示画面を作成し、その診療情報表示画面を診療科端末２０のディスプレイに表示させる。
【００７１】
そして、診療科端末２０のディスプレイに表示された診療情報表示画面の基本情報表示欄Ｒ１において、特定の疾患のチェックボックスがチェックされると、診療情報取得部１１は、その疾患に関連する検査項目の検査データや、その疾患に関連する目的対象の３次元画像を診療情報記憶部１２から読み出して取得する。
【００７２】
診療情報取得部１１によって取得された目的対象の３次元画像は、３次元画像解析部１５に出力され、３次元画像解析部１５は、入力された目的対象の３次元画像に対し、その目的対象の種類（心臓や肝臓や肺など）に応じた３次元画像解析を施す（Ｓ１４）。
【００７３】
そして、疾患に関連する検査項目の検査データと、３次元画像解析部１５において生成された目的対象の３次元画像解析結果とが表示制御部１６に出力され、表示制御部１６は、入力された検査項目の検査データのグラフと目的対象の３次元画像解析結果とに基づいて診療情報表示画面を作成し、その診療情報表示画面を診療科端末２０のディスプレイに表示させる（Ｓ１６）。図４は、患者の疾患が肺に関連するものであり、目的対象が肺の場合における３次元画像解析結果の表示例を示すものである。図４では、肺の３次元画像解析結果として、肺の３次元画像をボリュームレンダリングした肺画像Ｇ１と、気管支を抽出してボリュームレンダリングした気管支画像Ｇ２とが表示されている。
【００７４】
そして、上述したようにして目的対象の検査データや３次元画像解析結果が表示されるとともに、診療情報取得部１１によって患者の全ての検査項目の検査データが診療情報記憶部１２から読み出され、その全ての検査項目の検査データが、注目対象特定部１３に入力される。
【００７５】
注目対象特定部１３は、入力された全ての検査項目の検査データに基づいて、異常値を有する検査データの検査項目を自動的に抽出し、その抽出した検査項目に基づいて、罹患していると推定される臓器または骨部などの注目対象を特定する（Ｓ１８）。なお、ここで特定される注目対象は、上述した目的対象の臓器や骨部以外のものである。
【００７６】
そして、注目対象特定部１３によって目的対象以外の臓器や骨部が注目対象として特定された場合には（Ｓ２０，ＹＥＳ）、その注目対象の３次元画像が診療情報記憶部１２から読み出され、その読み出された注目対象の３次元画像が３次元画像解析部１５に入力される。３次元画像解析部１５は、入力された注目対象の３次元画像に対して、その注目対象の種類に応じた３次元画像解析を施す（Ｓ２２）。
【００７７】
また、注目対象特定部１３によって少なくとも１つの注目対象が特定された場合には、その旨を示す信号が表示制御部１６に出力され、表示制御部１６は、入力された信号に応じて、図４に示すように「重要情報あり」のメッセージ欄Ｍ１を表示させる。これにより医師などは目的対象以外に注目対象があることを知ることができる。
【００７８】
次いで、注目対象特定部１３によって特定された注目対象が１つであり（Ｓ２４，ＮＯ）、図４に示す「重要情報あり」のメッセージ欄Ｍ１が医師などによってクリックされた場合には、画像診療情報欄Ｒ５に表示されている目的対象の３次元画像解析結果を注目対象の３次元画像解析結果に切り替えて表示する（Ｓ２６）。図６は、注目対象として心臓が特定された場合における３次元画像解析結果の表示例を示すものである。図６では、心臓の３次元画像解析結果として、心臓の３次元画像をボリュームレンダリングした心臓画像Ｇ３と、冠動脈を抽出してボリュームレンダリングした冠動脈画像Ｇ４とが表示されている。また、図４で示した「重要情報あり」のメッセージ欄Ｍ１は、図６に示すように「目的対象」のメッセージ欄Ｍ２に変更される。この「目的対象」のメッセージ欄Ｍ２が医師などによってクリックされた場合には、再び目的対象の３次元画像解析結果に切り替えて表示され、「目的対象」のメッセージ欄Ｍ２が「重要情報あり」のメッセージ欄Ｍ１に変更される。すなわち、メッセージ欄を医師などがクリックすることによって、目的対象の３次元画像解析結果と注目対象の３次元画像解析結果とが切り替わって表示される。
【００７９】
一方、注目対象特定部１３によって複数の注目対象が特定された場合にも、その旨を示す信号が表示制御部１６に出力され、表示制御部１６は、入力された信号に応じて、図４に示すように「重要情報あり」のメッセージ欄Ｍ１を表示させる。
【００８０】
また、このとき複数の注目対象が特定された旨を示す信号が優先順位設定部１４に出力され、優先順位設定部１４は、入力された信号に応じて複数の注目対象に対して優先順位を設定する（Ｓ２８）。具体的には、上述したように、たとえば注目対象に対応する異常検査項目の重篤度を評価し、その重篤度が大きい異常検査項目を有する注目対象ほど優先順位が高くなるように優先順位を設定する。
【００８１】
そして、図４に示す「重要情報あり」のメッセージ欄Ｍ１が医師などによってクリックされた場合には、目的対象の３次元画像解析結果を注目対象の３次元画像解析結果に切り替えて表示するが、このとき優先順位の高い注目対象の３次元画像解析結果から順に表示される（Ｓ３０）。
【００８２】
具体的には、優先順位が最も高い注目対象が心臓である場合には、図７に示すように心臓の３次元画像解析結果に切り替えて表示される。図７では、心臓の３次元画像解析結果として、心臓の３次元画像をボリュームレンダリングした心臓画像Ｇ３と、冠動脈を抽出してボリュームレンダリングした冠動脈画像Ｇ４とが表示されている。また、図４で示した「重要情報あり」のメッセージ欄Ｍ１は、図７に示すように「次の重要情報あり」のメッセージ欄Ｍ３に変更される。
【００８３】
次いで、この「次の重要情報あり」のメッセージ欄Ｍ３が医師などによってクリックされた場合には、優先順位が２番目に高い注目対象の３次元画像解析結果に切り替えて表示される。具体的には、優先順位が２番目に高い注目対象が肝臓である場合には、図８に示すように肝臓の３次元画像解析結果に切り替えて表示される。図８では、肝臓の３次元画像解析結果として、肝臓の３次元画像をボリュームレンダリングした肝臓画像Ｇ５と、肝臓の血管の支配領域を抽出した結果を示す画像Ｇ６とが表示されている。そして、さらに他にも注目対象が存在する場合には、「次の重要情報あり」のメッセージ欄Ｍ３がそのまま維持して表示される。
【００８４】
そして、再び「次の重要情報あり」のメッセージ欄Ｍ３が医師などによってクリックされた場合には、優先順位が３番目に高い注目対象の３次元画像解析結果に切り替えて表示される。すなわち、「次の重要情報あり」のメッセージ欄Ｍ３を医師などがクリックすることによって、複数の注目対象の３次元画像解析結果が順次切り替えて表示される。なお、優先順位が最も低い注目対象の３次元画像解析結果が表示される場合には、「次の重要情報あり」のメッセージ欄Ｍ３は「目的対象」のメッセージ欄Ｍ２に変更される。そして、この「目的対象」のメッセージ欄Ｍ２が医師などによってクリックされた場合には、再び目的対象の３次元画像解析結果に切り替えて表示され、「目的対象」のメッセージ欄Ｍ２が「重要情報あり」のメッセージ欄Ｍ１に変更される。その後、上記と同様の処理が行われる。
【００８５】
なお、Ｓ２０において、注目対象特定部１３によって注目対象が特定されなかった場合には（Ｓ２０，ＮＯ）、そのまま処理を終了する。
【００８６】
上記実施形態の診療情報表示システム１によれば、患者の複数の検査項目の検査データを取得し、その取得した複数の検査項目の検査データに基づいて異常値を有する検査データの検査項目を抽出し、その抽出した検査項目に基づいて注目対象を特定し、その特定した注目対象の３次元画像の解析を行ってその解析結果を表示させるようにしたので、３次元画像解析の対象を注目対象の臓器などに限定することができるとともに、検査データに基づいて注目対象を特定しているので疾患の見逃しを防止することができる。
【００８７】
また、検査項目の重篤度の評価結果に基づいて、注目対象に対して優先順位を設定し、優先順位の高い注目対象の３次元画像解析結果から順に表示するようにしたので、限りある表示画面を有効に活用して３次元画像解析結果を表示させることができ、医師による疾患の見逃しもより効率的に防止することができる。
【００８８】
また、少なくとも１つの注目対象が特定された場合、そのことを示すメッセージが表示された後、注目対象の解析結果の表示の指示が受け付けられた際に、注目対象の解析結果を表示するようにしたので、今回の診断対象の３次元画像解析結果の表示を阻害しないようにできる。
【００８９】
なお、上記実施形態の説明では、まず、目的対象の３次元画像解析結果を表示した後に、注目対象の３次元画像解析結果に切り替えて表示するようにしたが、これに限らず、画像診療情報欄Ｒ５の大きさに余裕がある場合には、目的対象の３次元画像解析結果と注目対象の３次元画像解析結果とを同時に表示させるようにしてもよい。
【００９０】
また、上記実施形態の説明では、複数の注目対象の３次元画像解析結果を１つずつ切り替えて表示するようにしたが、これに限らず、画像診療情報欄Ｒ５に収まる範囲内で、複数の注目対象の単位で３次元画像解析結果を順次切り替えて表示するようにしてもよい。たとえば、２つの注目対象の３次元画像解析結果を同時に表示させ、２つの注目対象の単位で３次元画像解析結果を切り替えて表示するようにしてもよい。
【００９１】
また、上記実施形態において、複数の注目対象が特定された場合、全ての注目対象の３次元画像解析を一度に行うのではなく、画像診療情報欄Ｒ５内に収めて表示することができる３次元画像解析結果の上限数を設定しておき、その上限数の３次元画像解析のみを先に行うようにしてもよい。そして、先に行った３次元画像解析結果を表示している際に、次の上限数の３次元画像解析を行うようにする。
【００９２】
また、注目対象特定部１３によって特定された注目対象の３次元画像としては、今回の診断のために撮影した３次元画像に限らず、過去に撮影された注目対象の３次元画像を用いるようにしてもよい。特に、今回の診断のために撮影された３次元画像に注目対象の３次元画像が含まれていない場合などには、過去に撮影された３次元画像を利用することによって、注目対象の３次元画像解析を行うことができる。また、過去に撮影された３次元画像にも、注目対象の３次元画像が存在しない場合には、注目対象の臓器や骨部などの名称とその注目対象が罹患している可能性がある旨を表示するようにしてもよい。
【００９３】
また、上記実施形態においては、今回の診断の目的対象と、その目的対象とは異なる臓器や骨部などの注目対象の３次元画像解析結果を表示させるようにしたが、さらに、今回の診断の目的対象の臓器や骨部に関連する検査項目の中で、異常値を有する検査項目であって過去の検査データよりも重篤度が増している検査項目がある場合には、目的対象の臓器や骨部なども注目対象として特定し、その注目対象の過去の画像診断情報を取得し、その過去の画像診断情報に基づいて３次元画像の解析結果やその他の画像を今回撮影された３次元画像の解析結果などと並べて表示するようにしてもよい。これにより過去の画像診断情報との比較を行うことができる。
【００９４】
また、画像診療情報欄Ｒ５において、画像診断情報として、複数の臓器などを含む部位の画像を表示させる場合には、その画像内に表示される臓器などのうち、過去に３次元画像解析を行っていない臓器などがある場合には、その臓器に対してアノテーションなどの指標を付与して表示させるようにしてもよい。これにより医師がまだ３次元画像解析結果を診断していない臓器などを把握することができる。
【符号の説明】
【００９５】
１     診療情報表示システム
１０   診療情報表示制御装置
１１   診療情報取得部
１２   診療情報記憶部
１３   注目対象特定部
１４   優先順位設定部
１５   ３次元画像解析部
１６   表示制御部
２０   診療科端末
３０   電子カルテシステム
３１   電子カルテ保管サーバ
４０   検査部門システム
４１   検査データ保管サーバ
５０   画像診断システム
５１   画像管理サーバ
５２   読影レポートサーバ
【図１】
2015011446.tif 000003
【図２】
2015011446.tif 000004
【図３】
2015011446.tif 000005
【図５】
2015011446.tif 000006
【図４】
2015011446.tif 000007
【図６】
2015011446.tif 000008
【図７】
2015011446.tif 000009
【図８】
2015011446.tif 000010